(57)【要約】電子値札と電子値札の交換可能な電圧源用の締結装置とであり、締結装置は、交換可能な電圧源（７）用の電子値札の本体部分（２）にある凹部（１１）と、凹部との接続に適している第１の電気コネクタ部分（８）および第２の電気コネクタ部分（９）とを備える。締結装置は、接着面を備える少なくとも１つの締結手段（１０）をさらに備える。交換可能な電圧源（７）は、接着面を備える締結手段（１０）を用いて、電子値札に、たとえば、電子値札の本体部分（２）に、または、電子値札の裏面（５）に取り外し可能に締結されるように適合されている。【選択図】図２
2017502767.tif 000002
【特許請求の範囲】
【請求項１】
交換可能な電圧源（７）のため電子値札の本体部分（２）にある凹部（１１）と、前記凹部との接続に適している第１の電気コネクタ部分（８）および第２の電気コネクタ部分（９）とを備える、電子値札の交換可能な電圧源用の締結装置であって、
前記締結装置は、接着面を備える少なくとも１つの締結手段（１０、１２）をさらに備え、
前記交換可能な電圧源（７）は、接着面を備える締結手段（１０）を用いて、前記電子値札、たとえば、前記電子値札の前記本体部分（２）または前記電子値札の裏面（５）に取り外し可能に締結されるように構成され、
前記第２の電気コネクタ部品（９）は、接着面を備える締結手段（１０、１２）を用いて、前記交換可能な電圧源（７）に締結されるように構成されていることを特徴とする、締結装置。
【請求項２】
前記第１の電気コネクタ部分（８）および前記第２の電気コネクタ部分（９）は、前記交換可能な電圧源が（７）、所定の位置に取り付けられたとき、前記第１の電気コネクタ部分（８）と前記第２のコネクタ部分（９）との間にあり、前記交換可能な電圧源（７）の接続ポールが前記第１の電気コネクタ部分（８）および前記第２の電気コネクタ部分（９）と絶えず接触するように配置されていることを特徴とする、請求項１に記載の締結装置。
【請求項３】
前記交換可能な電圧源（７）は、バッテリまたは蓄電池であることを特徴とする、請求項１又は２に記載の締結装置。
【請求項４】
前記値札の前記本体部分（２）、表面（４）および／または裏面（５）は、基本的に柔軟性があることを特徴とする請求項１から３のいずれか一項に記載の締結装置。
【請求項５】
前記第１の電気コネクタ部分（８）は、前記交換可能な電圧源（７）を第２の電気コネクタ部分（９）に押し付けるように構成されているばね手段を形成することを特徴とする、請求項１から４のいずれか一項に記載の締結装置。
【請求項６】
接着面を備える前記締結手段（１０、１２）は、柔軟性があることを特徴とする、請求項１から５のいずれか一項に記載の締結装置。
【請求項７】
接着面を備える前記締結手段（１０、１２）は、ステッカであることを特徴とする、請求項１から６のいずれか一項に記載の締結装置。
【請求項８】
接着剤を備える前記締結手段（１０、１２）は、前記締結手段の縁部から延在し、接着面を持たない領域（１４）を備えることを特徴とする、請求項１から７のいずれか一項に記載の締結装置。
【請求項９】
接着面を備える全く同一の締結手段（１０）を用いて、前記第２の電気コネクタ部分（９）は、前記交換可能な電圧源（７）に締結することができ、前記交換可能な電圧源（７）は、前記電子値札に締結することができることを特徴とする、請求項１から８のいずれか一項に記載の締結装置。
【請求項１０】
前記交換可能な電圧源は、接着面を備える１つの締結手段（１０）を用いて前記電子値札に締結されるように構成され、前記第２の電気コネクタ部分（９）は、接着面を備える第２の締結手段（１２）を用いて前記交換可能な電圧源（７）に締結されるように構成されていることを特徴とする、請求項１から１０のいずれか一項に記載の締結装置。
【請求項１１】
前記値札に締結されることになり、接着面を備える、前記交換可能な電圧源の前記締結手段（１０）は、所定の位置に取り付けられたとき、前記凹部の縁部の外側まで延在し、前記凹部（１１）を覆うことを特徴とする、請求項１から１０のいずれか一項に記載の締結装置。
【請求項１２】
前記本体部分の前記裏面は、接着面を備える前記締結手段（１０）のための凹部（２０）をさらに備え、この場合、前記値札の裏部分は、接着面を備える前記締結手段（１０、１２）が所定の位置に収められているとき、基本的に平坦であることを特徴とする、請求項１から１１のいずれか一項に記載の締結装置。
【請求項１３】
請求項１から１２のうちいずれか一項に記載の交換可能な電圧源用の締結装置を備えることを特徴とする、電子値札。
【請求項１４】
電流が切断されたときに情報を保持するために適合されているメモリ、たとえば、ＥＥＰＲＯＭ（電気的消去・書き込み可能な読み出し専用メモリ）メモリをさらに備えることを特徴とする、請求項１３に記載の電子値札。
【発明の詳細な説明】
【技術分野】
【０００１】
本発明は、電子値札システムに関する。本発明は、より詳しくは、電子値札の交換可能な電圧源用の締結装置に関する。
【０００２】
本発明の一実施形態によれば、本発明による交換可能な電圧源のための締結装置は、電子ディスプレイが設けられた様々な電子値札において使用され得る。これらのタイプのディスプレイは、たとえば、小売店および卸売店における商品の価格情報および他の商品情報を表示する電子ディスプレイを備える。
【背景技術】
【０００３】
従来、値札の価格情報は、商品の価格が変化するとき、人手で変更される。新しい値札が用紙もしくは対応する素材の上に印刷され、新しい価格標識を含むこれらの値札は、店舗内の棚に確保された場所に人手で並べられる。それ故に、従業員は、最初に、更新される値札の正確な場所を見つけなければならず、その後、以前の値札が取り外され、廃棄され、新しい値札が所定の位置に収められる。この配置において、一つの欠点として、とりわけ、この配置が非常に労力を要し、間違いの危険性が高い、ということである。間違いについては、たとえば、棚の上の値札の価格情報が精算システムの価格情報と相違しているという状況が起こる可能性がある。
【０００４】
前述の欠点を回避するために、電子値札および電子値札の電子ディスプレイが商品の近くの棚の前縁部または前縁部より上に置かれ、商品の価格情報をシステムの管理センタまたは同様のものから集中的に変更することができる電子システムが開発されている。これは、価格情報の更新を可能にさせ、そして、著しく迅速化する。ディスプレイ上の情報は、システムに依存して、有線方式もしくは無線方式で更新することができる。
【０００５】
特許文献１から分かるのは、無線電子値札が使用されるシステムである。この文献において提起された無線式、層構造型、電子値札の特性は、優れている。しかし、値札のバッテリが空になり、バッテリを交換することが望ましい状況が発生している。
【０００６】
さらに当該技術分野において知られているのは、バッテリを交換することができる電子値札である。これらの電子値札は、堅固なシェルを有し、バッテリの交換は、堅固なバッテリ筐体を用いて可能にされている。値札は、このようにして、構造的に堅固であり、柔軟性がなく、特許文献１から知られている電子値札のように柔軟性がない。
【先行技術文献】
【特許文献】
【０００７】
【特許文献１】国際公開第２００９／１０３８５７号
【発明の概要】
【発明が解決しようとする課題】
【０００８】
本発明の目的は、前述の問題を軽減し、同時に、電子値札の交換可能な電圧源用の安価でありかつ信頼性のある締結装置を可能にすることである。
【課題を解決するための手段】
【０００９】
本発明は、電子値札の電圧源が交換可能であり、そして、電圧源が接着面を備える締結手段を用いて電子値札に締結されるように適合されている、という考え方に基づいている。
【００１０】
電子値札の交換可能な電圧源用のための本発明による締結装置は、請求項１に記載された事項によって特徴付けられる。
【００１１】
電子値札の交換可能な電圧源用のための本発明による締結装置の実施形態は、請求項２〜１３に記載された事項によって特徴付けられる。
【００１２】
本発明による電子値札は、請求項１４に記載された事項によって特徴付けられる。
【００１３】
本発明による電子値札の実施形態は、請求項１５に記載された事項によって特徴付けられる。
【発明の効果】
【００１４】
本発明による解決策は、従来技術の解決策と比べるといくつもの重要な利点がある。たとえば、国際公開第２００９／１０３８５７号に記載された、たとえば、当該技術分野において知られている電子値札と比べると、本発明による値札の電圧源は、たとえば、バッテリが空になる、または、電圧源が機能しなくなるときいつでも交換可能であり、それ故に、値札は、新しい値札と交換される必要がない。これは、費用を節約し、自然環境を守る。
【００１５】
他方で、本発明による解決策を当該技術分野において知られている堅固な電子値札と比較すると、本発明による解決策によれば、電圧源が交換可能であることに加えて、柔軟性のある構造体が値札に対して使用できるようになり、この構造体は、たとえば、値札が地面に落とされたとき、または、誰かが値札を踏みつけたとき、容易に砕ける堅固な値札により使用される構造体より外力に対する耐久性がある。これに加えて、本発明による解決策では、電圧源を取り外すことは、堅固なバッテリ筐体が使用される従来技術の解決策ほどにはコンポーネントの締結にストレスを加えることがないが、この理由は、従来技術の解決策では、バッテリが堅固なバッテリ筐体にしっかりと固定されているので、比較的大きい力がバッテリを取り外すために必要とされるからである。本発明の別の利点は、本発明による解決策では、電圧源を対象とする凹部は、電圧源が接着面を備える締結手段を用いて電子値札に締結されているので、交換可能な電圧源のサイズに正確に合うような大きさにされる必要がない、ということである。
【００１６】
このことにより、本発明による値札の製造が容易になる。この結果、および、本発明による解決策のその他の構造体の結果として、本発明による装置は、交換可能なバッテリが設けられた堅固な従来技術の値札の構造体より安価に実装できる。
【００１７】
本発明の一実施形態では、電圧源用の締結に加えて、交換可能な電圧源の接続ポールを値札の電気部分に接続する少なくとも第２の電気コネクタ部分も接着面を備える締結手段を用いて交換可能な電圧源に締結され得る。本実施形態の利点は、電気コネクタ部分と交換可能な電圧源の接続ポールとの間に信頼できる接点が確保されることである。
【００１８】
本発明の一実施形態では、接着面を備える全く同一の締結手段を用いて、電気コネクタ部分は、交換可能な電圧源に締結することができ、交換可能な電圧源は、電子値札に締結することができる。本発明の第２の実施形態では、交換可能な電圧源は、接着面を備える１つの締結手段を用いて電子値札に締結されるように適合され、電気コネクタ部分は、接着面を備える第２の締結手段を用いて交換可能な電圧源に締結されるように適合されている。本実施形態の利点は、電気コネクタ部分および電圧源の相互の締結と、電圧源および電子値札の相互の締結とが２段階で行われるので、より容易である、ということである。
【００１９】
以下では、本発明は、添付図面を参照して、本発明の実施形態の例を用いてより詳細に説明される。
【図面の簡単な説明】
【００２０】
【図１】電子値札の表側から見た本発明の一実施形態による電子値札の構造体の概略図を示す。
【図２】電子値札の裏側から見た本発明の一実施形態による電子値札の構造体と交換可能な電圧源用の締結装置との概略図を示す。
【図３Ａ】交換可能な電圧源が１つの締結手段を用いて締結された、図２の線Ａ−Ａに沿って切り取られた本発明の実施形態の断面図を示す。
【図３Ｂ】交換可能な電圧源が１つの締結手段を用いて締結された、図２の線Ｂ−Ｂに沿って切り取られた本発明の実施形態の断面図を示す。
【図３Ｃ】交換可能な電圧源が１つの締結手段を用いて締結された、図２の線Ａ−Ａに沿って切り取られた本発明の実施形態の断面図を示す。
【図３Ｄ】交換可能な電圧源が１つの締結手段を用いて締結された、図２の線Ｂ−Ｂに沿って切り取られた本発明の実施形態の断面図を示す。
【図３Ｅ】交換可能な電圧源が１つの締結手段を用いて締結された、図２の線Ｃ−Ｃに沿って切り取られた本発明の実施形態の断面図を示す。
【図３Ｆ】交換可能な電圧源が１つの締結手段を用いて締結された、図２の線Ｃ−Ｃに沿って切り取られた本発明の実施形態の断面図を示す。
【図３Ｇ】交換可能な電圧源が１つの締結手段を用いて締結された、図２の線Ｄ−Ｄに沿って切り取られた本発明の実施形態の断面図を示す。
【図３Ｈ】交換可能な電圧源が１つの締結手段を用いて締結された、図２の線Ｄ−Ｄに沿って切り取られた本発明の実施形態の断面図を示す。
【図４】締結手段が電子値札の裏部分の構造体に適合している、図２の線Ｂ−Ｂに沿って切り取られた本発明の実施形態の断面図を示す。
【図５Ａ】交換可能な電圧源が２つの締結手段を用いて締結された、図２の線Ｂ−Ｂに沿って切り取られた本発明の実施形態の断面図を示す。
【図５Ｂ】交換可能な電圧源が２つの締結手段を用いて締結された、図２の線Ｂ−Ｂに沿って切り取られた本発明の実施形態の断面図を示す。
【図５Ｃ】交換可能な電圧源が２つの締結手段を用いて締結された、図２の線Ｂ−Ｂに沿って切り取られた本発明の実施形態の断面図を示す。
【図６Ａ】接着面を備える締結手段のための凹部が電子値札の後壁部に存在する、図２の線Ｂ−Ｂに沿って切り取られた本発明の実施形態の断面図を示す。
【図６Ｂ】接着面を備える締結手段のための凹部が電子値札の後壁部に存在する、図２の線Ｂ−Ｂに沿って切り取られた本発明の実施形態の断面図を示す。
【図６Ｃ】接着面を備える締結手段のための凹部が電子値札の後壁部に存在する、図２の線Ｂ−Ｂに沿って切り取られた本発明の実施形態の断面図を示す。
【図７】交換可能な電圧源が２つの締結手段を用いて締結された、本発明の実施形態による電子値札の交換可能な電圧源用の締結装置の構造体の拡大図を示す。
【図８】交換可能な電圧源が２つの締結手段を用いて締結された、本発明の実施形態による電子値札の交換可能な電圧源用の締結装置の構造体の拡大図を示す。
【図９】第２の電気コネクタ部品が電圧源の側面の凹部にある、本発明の実施形態による電子値札の交換可能な電圧源用の締結装置の構造体の拡大図を示す。
【図１０】本発明の実施形態による値札の裏カバーを示す図である。
【図１１】本発明の実施形態による値札の裏カバーを示す図である。
【発明を実施するための形態】
【００２１】
図１は、本発明による電子値札１の図式的な概略図を示す。電子値札１は、典型的には、商品の価格情報および／または商品情報を表示するため配置された積層ディスプレイ３を備える。さらに、商品に関係するその他の情報、たとえば、商品の名前などを電子値札の表面４に提示することができる。電子値札のディスプレイ３は、表示セグメントまたは画素が設けられている。値札１は、紙製の値札に類似し、この値札の上に、所要の商品の価格およびその他の必要な記号が基本的に２色性のディスプレイ３のセグメントもしくは画素の色を変化させることにより形成されている
【００２２】
ディスプレイ３の１つの層は、たとえば、アクティブなインク層である。インク層は、液体で満たされ、たとえば、基本的に黒色粒子を含んでいるいくつものマイクロカプセルを収容し、これらの黒色粒子は、正の表面電荷を有し、この正の表面電荷の場所は、上から見たとき黒色に見える所望の表示セグメントにおいて黒色粒子がオンになり、上から見たとき白色に見えるその他の表示セグメントにおいて白色粒子がオンになるように電場によって制御される。ディスプレイ３の背景は、同じマイクロカプセルから形成され、たとえば、価格情報は、明るい背景に対して暗い数字として表示することができ、または、必要に応じて、逆に表示することもできる。使用されたこのようなディスプレイは、たとえば、フィンランド国特許出願第２００５０１９２号明細書に記載された電気泳動マイクロカプセルディスプレイ積層体でもよい。
【００２３】
図２は、電子値札の裏側から見た本発明の一実施形態による電子値札の構造体と交換可能な電圧源用の締結装置との概略図を示す。電子値札１は、電子値札の本体部分２に交換可能な電圧源７のための凹部１１を備え、この本体部分２は、基本的に柔軟性である可能性がある。本発明の一実施形態では、値札の裏面５には、基本的に凹部と同じサイズであり、凹部と位置合わせされた穴部がある。第１の電気コネクタ部分８および第２の電気コネクタ部分９は、本体部分における凹部との接続に適し、電気コネクタ部分を用いて、交換可能な電圧源７は、電子値札の電気部分、たとえば、回路基板６に接続できる。交換可能な電圧源は、たとえば、バッテリまたは蓄電池でもよい。本発明の一実施形態では、第１の電気コネクタ部分８および第２の電気コネクタ部分９は、交換可能な電圧源７が所定の位置に取り付けられたとき、第１の電気コネクタ部分８と第２の電気コネクタ部分９との間にあり、交換可能な電圧源の接続ポールが電気コネクタ部分８、９と絶えず接触するように配置されている。
【００２４】
締結装置は、接着面を備える少なくとも１つの締結手段１０をさらに備え、締結手段の場所は、図２において破線で印付けられている。接着面を備える締結手段１０は、第１の側および第２の側を有し、接着面は、締結手段の少なくとも一方の側に取り付けられている。接着面がある方の締結手段１０の側は、接着面によって完全に覆うことができ、または、代替的に、接着面は、締結手段のこの側の一部分だけに形成することができる。本発明の一実施形態では、接着面を備える締結手段１０は、柔軟性がある。本発明の一実施形態では、接着面を備える締結手段１０は、ステッカである。接着面を備える締結手段１０は、たとえば、円形もしくは矩形の形状でもよい。
【００２５】
本発明の解決策では、交換可能な電圧源７は、接着面を備える締結手段１０を用いて、電子値札、たとえば、電子値札の本体部分２もしくは電子値札の裏面５に締結されるように適合されている。締結手段１０の接着面を備える面は、所定の位置に取り付けられたとき、電子値札の側にある面である。接着面を備える締結手段１０は、このようにして、これの接着面を用いて、値札に、および、電圧源に締結する。本発明の一実施形態では、値札に締結され、そして、接着面を備える電圧源の締結手段１０は、所定の位置に取り付けられたとき、凹部１１の縁部の外側まで延在し、このようにして、凹部１１を覆う。
【００２６】
本発明の一実施形態では、さらに第２の電気コネクタ部分９は、接着面を備える締結手段１０を用いて、交換可能な電圧源に締結されるように適合されている。締結時に、第２の電気コネクタ部分９は、締結手段１０と交換可能な電圧源７との間に留まり、このようにして、接着面は、交換可能な電圧源７および第２の電気コネクタ部分９を互いに締結する。これによって、交換可能な電圧源の接続ポールと第２の電気コネクタ部分９との間の良好であり、かつ、信頼できる接点を確保することができる。
【００２７】
本発明の一実施形態では、接着面を備える全く同一の締結手段１０を用いて、第２の電気コネクタ部分９は、交換可能な電圧源７に締結することができ、交換可能な電圧源７は、電子値札に締結することができる。
【００２８】
図３Ａ〜３Ｈは、交換可能な電圧源を取り付ける場合に、本実施形態において１つの締結手段が電圧源を値札に締結するのに使用される、本発明による締結装置の実施形態の断面図を示す。
【００２９】
図３Ａは、交換可能な電圧源が１つの締結手段を用いて締結された、図２の線Ａ−Ａに沿って切り取られた本発明の実施形態の断面図を示す。図３Ａは、交換可能な電圧源が凹部１１の中に取り付けられている状況を示す。凹部１１の底部の上、かつ、交換可能な電圧源より下に第１の電気コネクタ部分８があり、この第１の電気コネクタ部分の目的は、交換可能な電圧源７の第１の接続ポールとの接点を形成することである。交換可能な電圧源７より上に、すなわち、電子値札の裏側に、第２の電気コネクタ部分９があり、この第２の電気コネクタ部分の目的は、交換可能な電圧源７と第２の接続ポールとの間に接点を形成することである。この交換可能な電圧源７は、このようにして、第１の電気コネクタ部分８と第２の電気コネクタ部分９との間に留まる。図３Ａ〜３Ｈに提示された実施形態では、第１の電気コネクタ部分８は、電圧源７を第２の電気コネクタ部分９に押し付けるように適合されたばね手段を形成する。
【００３０】
図３Ｂは、図２の線Ｂ−Ｂに沿った断面図として、交換可能な電圧源７が値札の本体部分の凹部１１の中に取り付けられている、図３Ａに提示された状況を示す。図３Ｂによれば、第１の電気コネクタ部分８は、交換可能な電圧源７の下に留まり、第２の電気コネクタ部分９は、交換可能な電圧源７の反対側に留まる。
【００３１】
図３Ｃは、図２の線Ａ−Ａに沿った断面図として、交換可能な電圧源７と接着面を備える締結手段１０とが所定の位置に取り付けられている状況において図３Ａに提示された実施形態を示す。接着面を備える締結手段１０は、所定の位置に取り付けられたとき、交換可能な電圧源を電子値札の後壁部５に締結する。同時に、接着面を備える締結手段１０は、第２の電気コネクタ部分９が交換可能な電圧源７と接着面を備える締結手段１０との間に留まるので、第２の電気コネクタ部分９を交換可能な電圧源７に締結する。
【００３２】
図３Ｄは、図３Ｃの場合と同じ状況を図２の線Ｂ−Ｂに沿った断面図として示す。図３Ｄから分かることは、図３Ｃから分かるのと同様に、本発明による解決策を用いて、交換可能な電圧源７が電子値札にどのようにして締結されるか、ならびに、同時に第１の電気コネクタ部分８、第２の電気コネクタ部分９および交換可能な電圧源の接続ポールの間の電気接点が、ぴったりした締結によって、どの程度信頼できるか、ということである。
【００３３】
図３Ｅおよび３Ｆは、図２の線Ｃ−Ｃに沿った断面図である。図３Ｅでは、交換可能な電圧源７は、凹部１１の中へ取り付けられているところであり、図３Ｆでは、交換可能な電圧源は、第１の電気コネクタ部分８に接触して凹部１１の底部に取り付けられている。
【００３４】
図３Ｇおよび３Ｈは、図２の線Ｄ−Ｄに沿った断面図である。図３Ｇでは、接着面を備える締結手段１０は、取り付けの準備が整っているが、まだ、所定の位置に締結されていない。第２の電気コネクタ部分９は、接着面を備える締結手段１０と、交換可能な電圧源７との間に収められている。図３Ｈでは、接着面を備える締結手段１０は、所定の位置に締結され、このようにして、第２の電気コネクタ部分は、交換可能な電圧源７に締結され、交換可能な電圧源７は、電子値札の後壁部５に締結される。
【００３５】
接着面を備える締結手段１０が柔軟性のある材料でできている場合、この締結手段は、電子値札の裏部分の構造体に適合する。これは、図２の線Ｂ−Ｂに沿った締結装置の断面図を表す図４に示されている。
【００３６】
図５Ａ〜５Ｃは、交換可能な電圧源が２つの締結手段を用いて電子値札およびコネクタ部分に締結されている、本発明による締結装置の実施形態の断面図を示す。図３Ａ〜３Ｈに記載された実施形態の場合と同様に、本実施形態でも、交換可能な電圧源７は、接着面を備える第１の締結手段１０を用いて、電子値札に、たとえば、電子値札の本体部分２または電子値札の裏面５に締結されるように適合されている。これに加えて、第２の電気コネクタ部品９は、接着面を備える第２の締結手段１２を用いて、交換可能な電圧源７に締結されるように適合されている。図５Ａ〜５Ｃは、本実施形態による締結装置を図２の線Ｂ−Ｂに沿った断面図として示す。
【００３７】
接着面を備える第２の締結手段１２は、接着面を備える第１の締結手段１０よりサイズが小さくてもよい。接着面を備える第２の締結手段１２は、たとえば、基本的に交換可能な電圧源および／または交換可能な電圧源の接続ポールと同じサイズでもよく、もしくは、より小さくてもよい。
【００３８】
図５Ａは、交換可能な電圧源が値札の本体部分の凹部１１へ取り付けられている状況を示す。第１の電気コネクタ部分８は、交換可能な電圧源７より下に留まり、第２の電気コネクタ部分９は、交換可能な電圧源７の反対側に留まる。接着面を備える第１の締結手段１０および接着面を備える第２の締結手段１２は、これらの正しい位置に位置合わせされているが、これらは、未だ締結されていない。
【００３９】
図５Ｂは、第２の電気コネクタ部分９が交換可能な電圧源７と接着面を備える第２の締結手段１２との間に留まり、それ故に、第２の電気コネクタ部分９を交換可能な電圧源７に締結するように、接着面を備える第２の締結手段１２が基本的に電圧源の上で所定の位置に取り付けられている状況を示す。接着面を備える第１の締結手段は、まだ所定の位置に締結されていない。
【００４０】
図５Ｃは、接着面を備える締結手段１０が電圧源、接着面を備える第２の締結手段１２および凹部１１の上で所定の位置に取り付けられている状況を示す。接着面を備える締結手段１０は、所定の位置に取り付けられたとき、交換可能な電圧源７を電子値札の後壁部５に締結する。同時に、接着面を備える第１の締結手段１０は、接着面を備える第２の締結手段１２に締結する。このようにして、交換可能な電圧源７は、電子値札に締結され、第１および第２の電気コネクタ部分と交換可能な電圧源の接続ポールとの間の電気接点は、ぴったりした締結のおかげで信頼できる。
【００４１】
図６Ａ〜６Ｃは、接着面を備える締結手段のための凹部が電子値札の後壁部に存在する、本発明による締結装置の実施形態の断面図を示す。図５Ａ〜５Ｃに記載された実施形態の場合と同様に、本実施形態でも交換可能な電圧源７は、接着面を備える第１の締結手段１０を用いて、電子値札に、たとえば、電子値札の本体部分２または電子値札の裏面５に締結されるように適合され、第２の電気コネクタ部分９は、接着面を備える第２の締結手段１２を用いて、交換可能な電圧源７に締結されるように適合されている。図６Ａ〜６Ｃは、本実施形態による締結装置を図２の線Ｂ−Ｂに沿った断面図として示す。
【００４２】
図６Ａ〜６Ｃは、接着面を備える締結手段１０のための凹部１３が値札の裏部分、たとえば、後壁部５に配置されている点で、図５Ａ〜５Ｃによって示された実施形態と異なる。この場合、接着面を備える締結手段１０が所定の位置に収められているとき、値札の裏部分は、基本的に平坦である。
【００４３】
接着面を備える締結手段のための凹部は、接着剤を備える１つの締結手段だけが交換可能な電圧源を電子値札に、および、電気コネクタ部分を交換可能な電圧源に締結するために使用される実施形態を用いても形成することができる。この場合でも、凹部は、接着面を備える締結手段が所定の位置に収められているとき、値札の裏部分が本質的に平坦であるように配置されている。
【００４４】
図７は、交換可能な電圧源が２つの締結手段を用いて締結される、本発明の実施形態による電子値札の交換可能な電圧源用の締結装置の構造体の拡大図を示す。図７は、交換可能な電圧源７のための凹部１１と、凹部１１との接続に適している第１の電気コネクタ部分８および第２の電気コネクタ部分９とを示し、これらの電気コネクタ部品を用いて、交換可能な電圧源７を電子値札の電気部品、たとえば、回路基板６に接続することができる。第１の電気コネクタ部分８および第２の電気コネクタ部分９は、交換可能な電圧源７が所定の位置に取り付けられているとき、交換可能な電圧源が第１の電気コネクタ部分８と第２の電気コネクタ部分９との間にあり、交換可能な電圧源の接続ポールが電気コネクタ部分と絶えず接触するように配置されている。接着面を備える第２の締結手段１２は、第２の電気コネクタ部分９が交換可能な電圧源７と接着面を備える第２の締結手段１２との間に留まり、それ故に、第２の電気コネクタ部分９を交換可能な電圧源７に締結するように、本質的に電圧源７の上で所定の位置に取り付けられている。図６は、接着面を備える締結手段１０が接着面を備える第２の締結手段１２の上で締結される場所を破線で示す。
【００４５】
本発明による電子値札の交換可能な電圧源を交換することが望ましいとき、接着面を備える締結手段は、電子値札から少なくとも部分的に取り外される。この場合、交換可能な電圧源は、もはや値札に締結されることがなく、凹部から、および、コネクタ部品の間から取り除くことができる。接着面を備える締結手段は、電子値札を破損することなく、電子値札から取り外すことができる。本発明の一実施形態では、接着面を備える締結手段は、締結手段の取り外し後に再び電子値札に締結することができる。
【００４６】
本発明の一実施形態では、開放を容易にする印が接着面を備える締結手段に付けられ、これらの印は、締結手段の開放および／または除去を容易にする。これらの印は、これらの印を用いて、ユーザがどの方向から締結手段が開放されるか、および、締結手段がどの程度まで開放される必要があるかを確認するように付けられるので、電圧源は、値札を破損することなく、電子値札から取り外すことができる。これらの印は、たとえば、印刷用インクを用いるマーキングによって、塗装によって、印刷によって、または締結手段に切り込みもしくはミシン目を作ることによって付けることができる。接着面を備える２つの締結手段が交換可能な電圧源を締結するため使用される場合、これらの両方またはこれらのうち一方は、締結手段の取り外しを容易にする印を有する可能性がある。
【００４７】
本発明の一実施形態では、締結手段は、接着面、たとえば、ステッカを備える締結手段が開放されているか否かを表す標識を備える。
【００４８】
接着面を備える締結手段１０は、図７に示された、締結手段の縁部から延在する領域１４も有する可能性があり、この領域を用いて、接着面を備える締結手段、たとえばステッカは、容易に開放または除去することができる。本発明の一実施形態では、締結手段の縁部から延在する領域は、接着面を有することがなく、この場合、締結手段の縁部から延在する領域をより簡単に掴まえることができ、これは、締結手段の開放／除去をさらに容易にする。接着面を備える２つの締結手段が交換可能な電圧源を締結するため使用される場合、これらの両方またはこれらのうちいずれか一方は、締結手段の縁部から延在する領域を有する可能性がある。
【００４９】
本発明の一実施形態では、値札のための凹部は、図７に示された、締結手段の縁部から延在する領域１４にも配置される可能性がある。凹部は、締結手段の縁部から延在する領域１４より大きくされる可能性もあり、この場合、ユーザは、締結手段の縁部から延在する領域１４をより簡単に掴まえることができる。
【００５０】
図８は、交換可能な電圧源が２つの締結手段によって締結される、本発明の実施形態による電子値札の交換可能な電圧源用の締結装置の構造体の拡大図を示す。同図の解決策は、図７に示された実施形態と同じようなものとは別のものであるが、図８に示された実施形態の接着面を備える第１の締結手段１０および接着面を備える第２の締結手段１２は、基本的に半円形の形状をしている。接着面を備える第１の締結手段１０および／または接着面を備える第２の締結手段１２は、他の形状、たとえば、円形であり、１つの縁部で面取りされている可能性もある。さらに、裏面内の開口部は、本質的に半円形の形状、または、円形の形状であり、１つの縁部で、たとえば、接着面を備える第１の締結手段１０および／または接着面を備える第２の締結手段２０と同じ縁部で面取りされている。この場合、凹部の一部分は、裏面より下にある。所定の位置に取り付けられているときも、電圧源７は、部分的に裏面より下に位置し、裏面は、電圧源７および第２の電気コネクタ部分９のための支持体を形成する。本実施形態でも、交換可能な電圧源７は、接着面を備える第１の締結手段１０を用いて、電子値札に、たとえば、電子値札の本体部分２または電子値札の裏面５に締結されるように適合され、第２の電気コネクタ部分９は、接着面を備える第２の締結手段１２を用いて、交換可能な電圧源７に締結されるように適合されている。
【００５１】
図８に示された実施形態の利点は、所定の位置に取り付けられたときに電圧源７と、第２の電気コネクタ部分９とが部分的に裏面より下に位置しているので、裏面が、接着面を備える締結手段に加えて、電圧源および第２の電気コネクタ部分も支持することである。この場合、接着面を備える締結手段１０に加えられた力、たとえば、第１の電気コネクタ部分によって形成されたばね力は、後壁部の開口部が基本的に電圧源および／または凹部と同じサイズである実施形態の場合ほど大きくない。このようにして、締結手段１０は、より確実に所定の位置に留まり、電圧源の接続ポールと電気コネクタ部分との間の接点も信頼できる。この実施形態の解決策は、接着面を備える締結手段が除去されたとき電圧源を交換するときにも利点がある。この場合、部分的に電圧源および第２の電気コネクタの上にある後壁部は、値札の構造体、たとえば、電気コネクタ部分８、９および回路基板６を支持する。交換可能な電圧源７を交換することが望ましいとき、交換可能な電圧源は、凹部から撤去され、新しい電圧源７は、最初に電圧源の薄い端部から、凹部に装着される。本発明の他の実施形態においても、裏面内の開口部は、基本的に電源および／または凹部１１より小さくなり、たとえば、半円形または１つの端部が面取りされた円形である可能性がある。裏面内の開口部は、図１１に示された後壁部のカバー部分と同じ形状である可能性もあり、この場合、裏面は、両側に、たとえば、電圧源のための凹部の両側に電圧源のための支持体を形成する。
【００５２】
図９は、本発明の実施形態による電子値札の交換可能な電圧源用の締結装置の構造体の拡大図を示す。図９に示された構造体は、接着面を備える１つの締結手段が電圧源を締結するため使用される図３Ａ〜３Ｈに示されたようなものとは別のものであるが、本実施形態では、第２の電気コネクタ部分９が電圧源の側で凹部の縁部に収められる。第２の電気コネクタ部分９は、本実施形態では、電圧源の側面を圧迫するように配置されているばね手段を形成する。この場合、値札の本体部分は、第２のコネクタ部分が本体部分の奥深くまで突き進まないように、第２のコネクタ部分の少なくとも先端点で、ぴったりしているのが良いであろう。本実施形態では、電圧源は、値札の裏部分から直接的に取り付けることができ、第２の電気コネクタ部分は、凹部の縁部と電圧源の縁部に接した接続ポールとの間を突き進むことにより電圧源の第２の接続ポールへの接点を作り出すので、接着面を備える第２の締結手段は、電圧源を第２の電気コネクタ部分に締結する必要がない。
【００５３】
本発明は、本発明による締結装置を備える電子値札にも関する。本発明の一実施形態では、電子値札は、電流が切断されたときに情報を保持するように適合されているメモリを備える。メモリは、たとえば、ＥＥＰＲＯＭ（電気的消去・書き込み可能な読み出し専用メモリ）メモリとすることができる。このメモリを用いて、電子札のメモリ内の情報は、電圧源の交換中にも保持することができ、電子値札は、電圧源の交換後に再書き込みする必要がない。
【００５４】
図１０は、本発明の実施形態による電子値札の裏面、たとえば、裏カバーを示す。本発明の一実施形態では、値札の製造中、裏カバーは、電圧源が既に凹部内の所定の位置にあるときに限り電子値札の裏側に取り付けられる。さらに、接着面を備える第２の締結手段は、電圧源を第２の電気コネクタ部分に締結するために予め取り付けることができる。カバー部分１５は、たとえば、カバー部分１５を打ち抜き、いくつかの部分で付着したままにしておくことにより裏カバーに形成することができる。この場合、裏カバーに形成されたネック部１６は、カバー部分を裏カバーの他の部分に関して所定の位置に保つ。
【００５５】
カバー部分１５は、少なくとも交換可能な電圧源の少なくとも先端点で接着面を備える可能性があり、この場合、カバー部分１５は、接着面を備える締結手段としての役目を果たし、交換可能な電源を値札に締結する。電圧源を交換するとき、カバー部分は、破って開けられ、この場合、電圧源は、目に見えるようになり、交換することができる。新しい電圧源が所定の位置に取り付けられているとき、この新しい電圧源は、取り外された、または、開放されたカバー部分より僅かに大きい付加的なステッカを用いて再び締結することができる。カバーのミシン目を用いると、カバー部分が開放されているか否かが分かる。カバー部分は、完全に円形の形状、半円形の形状、または、図８の場合のように、円形形状であるが、１つの縁部で面取りされる可能性ある。カバー部分の下にある構造体は、これまでの実施形態において示された構造体に従う可能性がある。
【００５６】
本発明の一実施形態では、接着面は、値札の本体部分の裏側、たとえば、値札の後側の領域全体に配置され、この接着面を用いて、裏カバーを値札に締結することができる。この場合、裏カバーは、値札の本体部分に締結されるとき、この裏カバー独自の接着剤を必要としない。たとえば、丸い形であり、電圧源より僅かに小さい接着面、たとえば、ステッカを備える両面締結手段は、交換可能な電圧源の上に設置することができ、この締結手段は、電圧源および裏カバーの両方を掴まえる。この場合、電圧源を交換するときには、カバー部分１５が取り外されたとき、電圧源は、両面ステッカのためにカバー部分と一緒に分離される。
【００５７】
本発明の第２の実施形態では、値札の本体部分に接着剤が存在しない。本体部分のサイズ接着領域は、裏カバーに押し付けられ、この接着領域は、最終組立では、電圧源も掴まえる。この場合、電圧源を交換するとき、裏カバーの接着剤は、電圧源も取り外す。本実施形態では、電圧源を上向きに直接引っ張ることによって凹部から取り外すことができるように、少なくとも基本的に電圧源のサイズであるカバー部分１５を使用するのが有利である。
【００５８】
図１１は、図１０の場合と同様の値札の裏面を示すが、本実施形態では、カバー部分１５およびカバー部分の開口部は、図１０の場合とは異なる形状をもつ。本実施形態の場合、電圧源のための凹部の一部分は、後壁部が値札の上で所定の位置に締結されたとき、裏面より下にある。所定の位置に取り付けられたとき、同様に、電圧源７は、部分的に裏面より下に位置し、裏面は、電圧源７および第２の電気コネクタ部分９のための支持体を形成する。本実施形態の場合、裏面は、両側に、たとえば、電圧源のための凹部の両側に電圧源のための支持体を形成する。電圧源の上に、および、電圧源のための凹部の上に形成されるべき支持体は、凹部の一方の縁部で、もう一方の縁部よりも遠くまで延在する可能性がある。本発明の一実施形態では、裏面は、この裏面が電圧源を支持する範囲に限り電圧源の一方側から電圧源の凹部の上まで延在するが、同時に、電圧源は、後壁部より下にある電圧源の縁部の両方で留まるように所定の位置に押し込むことができる。図１１は、裏カバーの打ち抜きパターンを示すが、明瞭にするために、裏カバーが所定の位置に取り付けられたとき、裏カバーに関する電圧源の場所は、さらに同図に略図で描かれている。
【００５９】
図１１に示された実施形態の場合、凹部の上に後壁部から形成されている支持体が電圧源を所定の位置に確実に保ち、電圧源の取り外しを可能にするように、値札の本体にある電圧源凹部は、基本的に電圧源のサイズであること、そして、裏カバーは、値札の本体部分に関して正確に取り付けられていることが有利である。この場合、接着面を備える締結手段は、電圧源を値札に締結するため必ずしも必要ではない。
【００６０】
図１１の後壁部は、図１０に示された後壁部と同じ様に値札構造体に締結することができる。
【００６１】
本発明が前述の実施形態に限定されることなく、後述の請求項に記載された事項の範囲内で変化し得ることは、当業者には明らかである。相互に関連して言及された明細書本文に記載の特有の特徴は、独立した特有の特徴にもなり得る。
【図１】
2017502767.tif 000003
【図２】
2017502767.tif 000004
【図３Ａ】
2017502767.tif 000005
【図３Ｂ】
2017502767.tif 000006
【図３Ｃ】
2017502767.tif 000007
【図３Ｄ】
2017502767.tif 000008
【図３Ｅ】
2017502767.tif 000009
【図３Ｆ】
2017502767.tif 000010
【図３Ｇ】
2017502767.tif 000011
【図３Ｈ】
2017502767.tif 000012
【図４】
2017502767.tif 000013
【図５Ａ】
2017502767.tif 000014
【図５Ｂ】
2017502767.tif 000015
【図５Ｃ】
2017502767.tif 000016
【図６Ａ】
2017502767.tif 000017
【図６Ｂ】
2017502767.tif 000018
【図６Ｃ】
2017502767.tif 000019
【図７】
2017502767.tif 000020
【図８】
2017502767.tif 000021
【図９】
2017502767.tif 000022
【図１０】
2017502767.tif 000023
【図１１】
2017502767.tif 000024
【国際調査報告】
2017502767.tif 000025
2017502767.tif 000026
2017502767.tif 000027
2017502767.tif 000028